(57)【要約】【課題】ホログラム再生装置の小型化、低コスト化【解決手段】ホログラムデータ読取ユニットにおいて、複数の参照光光源を配置して、これを切り換えるようにすることで、複雑な光源移動機構を備えずに、複数の角度での再生参照光の照射を可能とする。また複数の参照光光源を、結像光学系の結像面と共役な面に配置し、再生参照光の照射光学系として結像光学系を共用する。【選択図】図９
2007108385.tif 000002
【特許請求の範囲】
【請求項１】
ホログラム記録媒体上に角度多重記録された要素ホログラムに対して、照射角度の異なる再生参照光を照射するために選択的に発光駆動される複数の参照光光源と、
再生参照光の要素ホログラムへの照射により発生する再生像光を結像面に結像させる結像光学系と、
上記結像面に受光面が位置するように配置され、上記再生像光を電気信号に変換する撮像素子部と、
を備えることを特徴とするホログラムデータ読取ユニット。
【請求項２】
上記再生参照光についての照射光学系として、上記結像光学系を共用するとともに、
上記複数の参照光光源は、上記結像面と共役な面上に配置されていることを特徴とする請求項１に記載のホログラムデータ読取ユニット。
【請求項３】
上記結像光学系の光路中にビームスプリッタを配置し、複数の参照光光源からの再生参照光と上記再生像光の一方はビームスプリッタによって反射され、他方はビームスプリッタを透過することによって、上記結像面と上記複数の参照光光源が共役な面上に位置するようにしたことを特徴とする請求項２に記載のホログラムデータ読取ユニット。
【請求項４】
上記結像光学系の有効領域のうち、上記撮像素子部の有効領域に導かれる光束を遮らない領域に反射部又は回折部を設け、
複数の参照光光源からの光束を上記反射部で反射又は回折部で回折させることによって、上記結像面と上記複数の参照光光源が共役な面上に位置するようにしたことを特徴とする請求項２に記載のホログラムデータ読取ユニット。
【請求項５】
上記撮像素子部はパッケージ内に封入された半導体撮像素子であり、
上記パッケージ内に複数の参照光光源及び反射部が配置されていることを特徴とする請求項２に記載のホログラムデータ読取ユニット。
【請求項６】
ホログラム記録媒体上に形成された要素ホログラムに対して、照射角度の異なる再生参照光を照射するために選択的に発光駆動される複数の参照光光源と、
再生参照光の要素ホログラムへの照射により発生する再生像光を受光し、電気信号に変換する撮像素子部と、
がパッケージ内に封入されて配置されていることを特徴とするイメージャユニット。
【請求項７】
データを二次元画像化し、二次元画像の物体光と記録用参照光とを干渉させ、干渉縞によって上記データが要素ホログラムとして記録されるホログラム記録媒体であって、互いに照射角度の異なる記録用参照光を用いることで上記要素ホログラムを角度多重記録したホログラム記録媒体からデータを再生するホログラム再生装置として、
ホログラム記録媒体上に角度多重記録された要素ホログラムに対して、照射角度の異なる再生参照光を照射するために選択的に発光駆動される複数の参照光光源と、
再生参照光の要素ホログラムへの照射により発生する再生像光を結像面に結像させる結像光学系と、
上記結像面に受光面が位置するように配置され、上記再生像光を電気信号に変換する撮像素子部と、
上記撮像素子部で得られた二次元画像に対して信号処理を行い、上記要素ホログラムとして記録されたデータを復号する信号処理手段と、
を備えることを特徴とするホログラム再生装置。
【請求項８】
上記再生参照光についての照射光学系として、上記結像光学系を共用するとともに、
上記複数の参照光光源は、上記結像面と共役な面上に配置されていることを特徴とする請求項７に記載のホログラム再生装置。
【発明の詳細な説明】
【技術分野】
【０００１】
本発明は、各種データを二次元画像化し、要素ホログラムとして記録したホログラム記録媒体、特には互いに照射角度の異なる記録用参照光を用いることで上記要素ホログラムを角度多重記録したホログラム記録媒体からデータを再生するホログラム再生装置に関し、またホログラム再生装置に用いることのできるホログラムデータ読取ユニット、イメージャユニットに関するものである。
【背景技術】
【０００２】
【特許文献１】特開２００５−１７３６４６号公報
【特許文献２】特許第３１８６３１６号公報
【０００３】
シート状の記録媒体に情報を記録する例として、バーコード、ＱＲコード、ドットコード等に代表される１次元コード又は２次元コードが挙げられる。しかし、これらの情報記録媒体は、単位面積あたりに記録できる情報量が数十から数キロバイト程度と極めて低い。この原因は、単なる画像の濃淡印刷の記録分解能に物理的な限界があるからである。
また、同じくシート状の記録媒体としては、物体光と参照光の干渉縞によって各種データを記録するホログラム記録媒体も知られている。そしてホログラム記録媒体は、記録密度を飛躍的に向上させ、著しい大容量化が可能であることも知られており、例えばコンピュータデータや、オーディオやビデオ等のＡＶ（Audio-Visual）コンテンツデータなどに対する大容量のストレージメディアとして有用であると考えられている。
【０００４】
ホログラム記録媒体にデータを記録する際には、データを二次元ページデータとして画像化する。そして液晶パネル等に二次元画像化したデータを表示させ、その液晶パネルを透過した光を物体光、つまり二次元ページデータの像となる物体光をホログラム記録媒体に照射する。加えて、所定の角度から記録参照光をホログラム記録媒体に照射する。このとき物体光と記録参照光によって生ずる干渉縞が、ドット状や短冊状などの１つの要素ホログラムとして記録されることになる。つまり１つの要素ホログラムは、１つの二次元画像としてデータを記録したものとなる。
【０００５】
ホログラムメモリから情報を読み出すためには、半導体レーザ（レーザダイオード）などの再生参照光光源から放射した再生参照光を、照射光学系で平行光にして要素ホログラムに対して照射する。このとき要素ホログラムから、記録された二次元画像の再生像光が再生されるため、その再生像光を結像光学系でイメージャ（撮像素子部）に結像することにより、要素ホログラムに記録されたデータを読み出すことができる。
【０００６】
また、ホログラムメモリの大容量化のために角度多重記録という方法がある。これはホログラムメモリ上の同一の位置に、記録参照光の角度を変えながら、角度毎に異なるデータを重ね書きする方法で、読み出し時には、照射する再生参照光の角度に応じて、記録時にそれと同じ角度の記録参照光で記録した二次元画像だけが分離して再生されるというものである。
【発明の開示】
【発明が解決しようとする課題】
【０００７】
ここで、例えばシート状等のホログラムメモリを考え、コンピュータデータやＡＶコンテンツデータなどを記録し、一般ユーザーがホログラムリーダとしての再生装置を用いて、ホログラムメモリに記録されたデータを取得できるようにするシステムを考える。
シート状のホログラムメモリとは、メディア表面としての平面上に多数の要素ホログラムを敷き詰めるように記録するものであり、このメディア表面に対してホログラムリーダを対向させて、各要素ホログラムとして記録されたデータを読み取っていくようにするものである。
そしてホログラムメモリが上記の角度多重記録されたものであった場合、ホログラムリーダ側は、記録時に用いられた互いに異なる複数の角度の記録参照光に対応して、それらの角度と同一の状態で、再生参照光を照射できるようにする必要がある。
例えば記録時に３種類の照射角度θA、θB、θCの各記録参照光が用いられて角度多重記録されたとすると、ホログラムリーダ側も、照射角度θA、θB、θCのそれぞれの状態で再生参照光を照射できるようにする必要がある。
【０００８】
このように再生参照光の角度を変化させるためには、ホログラムリーダ内で参照光光源の位置を変化させる機構を持たせる必要があり、装置としての大型化やコストアップが問題となる。また再生参照光の角度を変化させるために参照光光源やミラーなどをメカニカルな機構で動かすようにすることは、その動作のための時間を要し、データ読み出しに要する時間が長くなる。
【０００９】
そこで本発明は、角度多重記録されたホログラム記録媒体に対する再生装置において、このような問題を解消するとともに、さらに簡易な構成を実現し、特に再生装置内の読取ユニットにおいて省スペース化、低コスト化を実現することを目的とする。
【課題を解決するための手段】
【００１０】
本発明のホログラムデータ読取ユニットは、ホログラム記録媒体上に角度多重記録された要素ホログラムに対して、照射角度の異なる再生参照光を照射するために選択的に発光駆動される複数の参照光光源と、再生参照光の要素ホログラムへの照射により発生する再生像光を結像面に結像させる結像光学系と、上記結像面に受光面が位置するように配置され上記再生像光を電気信号に変換する撮像素子部とを備える。
ここで、上記再生参照光についての照射光学系として、上記結像光学系を共用するとともに、上記複数の参照光光源は、上記結像面と共役な面上に配置されているようにする。
また上記結像光学系の光路中にビームスプリッタを配置し、複数の参照光光源からの再生参照光と、上記再生像光の一方はビームスプリッタによって反射され、他方はビームスプリッタを透過することによって、上記結像面と上記複数の参照光光源が共役な面上に位置するようにする。
また、上記結像光学系の有効領域のうち、上記撮像素子部の有効領域に導かれる光束を遮らない領域に反射部又は回折部を設け、複数の参照光光源からの光束を上記反射部で反射又は回折部で回折させることによって、上記結像面と上記複数の参照光光源が共役な面上に位置するようにする。
また上記撮像素子部はパッケージ内に封入された半導体撮像素子であり、上記パッケージ内に複数の参照光光源及び反射部が配置されている。
【００１１】
本発明のイメージャユニットは、ホログラム記録媒体上に形成された要素ホログラムに対して、照射角度の異なる再生参照光を照射するために選択的に発光駆動される複数の参照光光源と、再生参照光の要素ホログラムへの照射により発生する再生像光を受光し、電気信号に変換する撮像素子部とがパッケージ内に封入されて配置されている。
【００１２】
本発明のホログラム再生装置は、データを二次元画像化し、二次元画像の物体光と記録用参照光とを干渉させ、干渉縞によって上記データが要素ホログラムとして記録されるホログラム記録媒体であって、互いに照射角度の異なる記録用参照光を用いることで上記要素ホログラムを角度多重記録したホログラム記録媒体からデータを再生するホログラム再生装置である。そして、ホログラム記録媒体上に角度多重記録された要素ホログラムに対して、照射角度の異なる再生参照光を照射するために選択的に発光駆動される複数の参照光光源と、再生参照光の要素ホログラムへの照射により発生する再生像光を結像面に結像させる結像光学系と、上記結像面に受光面が位置するように配置され、上記再生像光を電気信号に変換する撮像素子部と、上記撮像素子部で得られた二次元画像に対して信号処理を行い、上記要素ホログラムとして記録されたデータを復号する信号処理手段とを備える。
また上記再生参照光についての照射光学系として、上記結像光学系を共用するとともに、上記複数の参照光光源は、上記結像面と共役な面上に配置されている。
【００１３】
ホログラム再生装置は、ホログラム記録媒体上の要素ホログラムから読み取った二次元画像を復号し、復号データを取得していくという動作を行うが、この動作を多数のそれぞれの要素ホログラムに対して行うことで、各要素ホログラムからの復号データが集められ、その復号データを再構築することで、ホログラム記録媒体に記録されたコンテンツデータ等の再生データを得ることができる。
ホログラム記録媒体が角度多重記録されたものである場合、このホログラム再生装置におけるホログラムデータ読取ユニットは、ホログラム記録媒体に対して異なる複数の角度で再生参照光を照射できるようにする必要がある。このとき、複数の参照光光源を配置して、これを切り換えるようにすれば、複雑な光源移動機構を備えずに、複数の角度での再生参照光の照射が可能となる。
ここにおいてさらに構成の効率化を実現し、小型化やコストダウンを図るには、再生参照光の照射光学系を独立して設けず、結像光学系を照射光学系として共用できるようにすることが有効である。
フーリエ変換ホログラム記録によって生成されたホログラムを再生するための、再生光像を結像させる結像光学系は、無限遠方に存在する2次元ページデータ像をイメージャ（撮像素子部）上に結像する光学系と等価となる。そのため、結像光学系の結像面上あるいはその共役面上にレーザダイオードなどの点光源を参照光光源として配置することにより、その光源から放射された光束を、結像光学系を逆に辿ることによって、ホログラム記録媒体上で平行光束となすことができる。この時、結像面上あるいはその共役面上の点光源位置によってホログラムに照射される平行光束角度が変わる。従って、結像面上あるいはその共役面上に複数の点光源としてレーザダイオード等の参照光光源を配置し、交互にオン／オフさせることにより高速角度切り替え可能で省スペース、低コストの角度多重読み出し光学系が実現できる。
【発明の効果】
【００１４】
本発明によれば、角度多重記録されたホログラム記録媒体に対する読取のために、複数の参照光光源を配置し、これらをオン／オフすることで再生参照光の角度を切り換えるようにしている。また、各参照光光源は、結像光学系の結像面と共役面に配置されるようにし、結像光学系を再生参照光の照射光学系と共用する。
これらのことから、高速に再生参照光の角度の切換を実現すると共に、省スペースで、且つ、低コストなホログラムデータ読取ユニットを構成できるという効果があり、またこれはホログラム再生装置の小型化に寄与する。
各参照光光源を結像光学系の結像面と共役面に配置し、結像光学系を再生参照光の照射光学系と共用する構成は、ビームスプリッタを用いることで容易に実現できる。
また、結像光学系の有効領域のうち、上記撮像素子部の有効領域に導かれる光束を遮らない領域に反射部又は回折部を設け、複数の参照光光源からの光束を上記反射部で反射又は回折部で回折させるようにすれば、再生像光をロスなく有効に撮像素子部に結像させることができる。
またイメージャユニットとして、撮像素子部をパッケージ内に封入された半導体撮像素子とし、そのパッケージ内に半導体レーザ等から成る複数の参照光光源を配置することで、更なる低コスト化や省スペース化が可能である。
【発明を実施するための最良の形態】
【００１５】
以下、本発明の実施の形態を次の順序で説明する。
［１．ホログラムメモリの記録再生］
［２．ホログラムリーダの構成］
［３．読取ユニットの各種構成例］
【００１６】
［１．ホログラムメモリの記録再生］
まずホログラムメモリ３に対する基本的な記録再生動作について図１で説明する。
図１（ａ）はホログラムメモリ３に対するデータ記録の様子を示している。例えばコンテンツデータやコンピュータプログラム等としてのデータをホログラムメモリ３に記録する場合、その記録データ全体は、多数の１ページ分のデータにエンコードされる。
例えばコンテンツデータ等の全体のデータが多数の所定サイズのデータブロックに分割され、ブロック単位でエンコード処理が行われる。
エンコードされた単位としての１つのデータブロックは、図示するような例えば二次元画像ＤＰに変換され、液晶パネル１において表示される。
所定の光源から出力され、例えば平行光とされたレーザ光Ｌ１は、二次元画像ＤＰが表示された液晶パネル１を通過することで、その二次元画像ＤＰの像としての物体光Ｌ２となる。
この物体光Ｌ２は、集光レンズ２で集光され、ホログラムメモリ３上にスポットとして集光される。
このとき、ホログラムメモリ３に対しては、所定角度で記録参照光Ｌ３を照射する。これにより物体光Ｌ２と参照光Ｌ３が干渉し、その干渉縞によりドット状の要素ホログラムが記録されることになる。
なおこのように集光レンズ２を用いる場合、要素ホログラムとして記録されるデータは、集光レンズ２のフーリエ変換作用により、記録データの像のフーリエ像となる。
【００１７】
このようにしてホログラムメモリ３に１つの要素ホログラムが記録されるが、順次エンコード単位のデータブロックが、同様に二次元画像ＤＰに変換され、液晶パネル１に表示され、それぞれ要素ホログラムとして記録されていく。
各要素ホログラムの記録の際には、図示しない移送機構により、ホログラムメモリ３（ホログラム材料）の位置を移送させ（もしくは記録光学系を移送させ）、要素ホログラムの記録位置をホログラムメモリ３の平面上で僅かにずらせていく。これにより、例えばシート状のホログラムメモリ３に、その平面方向に多数の要素ホログラムが配置されるように記録が行われていくことになる。例えば図２には、１つの要素ホログラムを○で表しているが、このように平面上に多数の要素ホログラムが形成される。
図２では、ホログラムメモリ３の平面上に、横方向に３２個の要素ホログラム、縦方向に２４個の要素ホログラムを配置した例を示している。各要素ホログラムには図３に示すように、例えば５１２×３８４画素（ピクセル）の二次元画像ＤＰが記録される。
【００１８】
このように要素ホログラムが記録されたホログラムメモリ３に対しては図１（ｂ）のように再生が行われる。図１（ｂ）に示す結像光学系４及び撮像素子部（イメージャ）５は、ホログラムリーダとしての再生装置内に設けられる構成である。
ホログラムメモリ３に対しては、記録時と同じ照射角度で、再生参照光Ｌ４を照射する。再生参照光Ｌ４を照射すると、要素ホログラムとして記録された再生像が得られる。つまり二次元ページデータの像が、記録時の液晶パネル１と共役な場所に現れる。これを撮像素子部５で読み取ればよい。
即ちホログラムメモリ３からの再生像光Ｌ５は結像光学系４で平行光とされ、例えばＣＣＤ撮像素子アレイ、もしくはＣＭＯＳ撮像素子アレイなどで形成された撮像素子部５に入射する。ホログラムメモリ３上でのフーリエ像は、結像光学系４で逆フーリエ変換されて二次元ページデータの像となるため、この二次元画像ＤＰとしての再生像が撮像素子部５で読み取られる。
撮像素子部５は再生像に応じた電気信号としての二次元画像信号を発生させる。この二次元画像信号についてデコード処理を行うことで、元々のデータ、つまり記録のために二次元ページデータに変換する前のデータが得られることになる。
ホログラムメモリ３上の多数の要素ホログラムについて同様にデータ読出を行っていくことで、記録された元々のコンテンツデータ等を再生することができる。
【００１９】
ホログラムメモリ３の基本的な記録再生動作は以上のようになるが、角度多重方式で要素ホログラムを記録することで、著しい大容量化が可能となる。
角度多重記録の様子を図４に示す。この場合、図４（ａ）（ｂ）にそれぞれ示すように、記録参照光は、光源位置８Ａ、８Ｂからの記録参照光Ｌ３Ａ、Ｌ３Ｂとしてそれぞれ異なる角度θA、θBでホログラムメモリ３に参照光を照射できるようにしている。なお、光源位置８Ａ，８Ｂは、記録光学系によってホログラムメモリ３に対して参照光を照射する位置としているが、その位置にそれぞれ異なる光源素子を配置することを必要とするものではない。例えば１つの光源からの光の光路を変更することで光源位置８Ａ，８Ｂを切り換えるようにしてもよい。
【００２０】
角度多重記録の場合、まず図４（ａ）のように、記録するデータの二次元画像ＤＰを液晶パネル１に供給し、表示させる。このとき液晶パネル１を通過した二次元画像ＤＰの像としての物体光Ｌ２が集光レンズ２で集光されてホログラムメモリ３上にスポットとして照射されるが、この期間は光源位置８Ａからの角度θAの記録参照光Ｌ３Ａをホログラムメモリ３に与える。この記録参照光Ｌ３Ａと物体光Ｌ２による干渉縞により要素ホログラムが記録される。
また別のタイミングでは、図４（ｂ）のように、記録するデータの二次元画像ＤＰを液晶パネル１に供給し、表示させる。このとき液晶パネル１を通過した二次元画像ＤＰの像としての物体光Ｌ２が集光レンズ２で集光されてホログラムメモリ３上にスポットとして照射されるが、この期間は光源位置８Ｂからの角度θBの記録参照光Ｌ３Ｂをホログラムメモリ３に与える。この記録参照光Ｌ３Ｂと物体光Ｌ２による干渉縞により要素ホログラムが記録される。
【００２１】
以上の図４（ａ）（ｂ）の記録動作をそれぞれ行っていくことにより、ホログラムメモリ３には図５に示すように、記録参照光Ｌ３Ａを用いて形成される要素ホログラムｈAが多数配列された第１面３Ａと、記録参照光Ｌ３Ｂを用いて形成される要素ホログラムｈBが多数配列された第２面３Ｂとが形成された状態とすることができる。つまり二次元平面上に角度多重方式で複数の面に要素ホログラムが記録されたホログラムメモリ３が形成される。なお、第１面３Ａ、第２面３Ｂは実際に物理的に多層的な面として分かれているわけではないが、説明の便宜上、「面」という言葉を用いている。
【００２２】
このように要素ホログラムｈA、ｈBが記録されたホログラムメモリ３に対する再生時の動作は次のようになる。
図６（ａ）はホログラムメモリ３の第１面３Ａからの要素ホログラムｈAの読出の様子を示している。
図６においては参照光光源７Ａ、７Ｂを示しているが、これは後述する再生装置（ホログラムリーダ２０）において設けられる光源である。
参照光光源７Ａは、記録時の光源位置８Ａと同様の角度θAでホログラムメモリ３に再生参照光Ｌ４Ａを照射するように配置され、また参照光光源７Ｂは、記録時の光源位置８Ｂと同様の角度θBでホログラムメモリ３に再生参照光Ｌ４Ｂを照射するように配置されている。
【００２３】
第１面３Ａの要素ホログラムｈAの読取の際には、参照光光源７Ａがオンとされ、図６（ａ）に示すように再生参照光Ｌ４ＡのスポットＳＰＡが要素ホログラムｈAに照射される。この要素ホログラムｈAと同一の位置には第２面３Ｂの要素ホログラムｈBも記録されているのであるが、再生参照光Ｌ４Ａが照射された際には、要素ホログラムｈAの再生像光Ｌ５のみが得られ、これが撮像素子部５で検出される。
また第２面３Ｂの要素ホログラムｈBの読取の際には、参照光光源７Ｂがオンとされ、図６（ｂ）に示すように再生参照光Ｌ４ＢのスポットＳＰＢが要素ホログラムｈBに照射される。これにより要素ホログラムｈAの再生像光は得られず、要素ホログラムｈBの再生像光Ｌ５のみが得られ、これが撮像素子部５で検出される。
【００２４】
なお、ここでは２つの異なる角度の記録参照光Ｌ３Ａ，Ｌ３Ｂを用いて、上記第１面３Ａ、第２面３Ｂとしての角度多重記録を行った例を述べたが、３種類以上の異なる角度の記録参照光を用いることで、更に第３面以上の多重記録を行うことができる。
【００２５】
ホログラムメモリ３についての記録再生や角度多重方式の記録再生は以上のように行われるが、このように要素ホログラムによってデータが記録されるホログラムメモリ３は密着コピーによる大量複製も容易に可能である。
従って、図１（ａ）のようにしてホログラム材料上に要素ホログラムを記録したホログラムメモリ３は、それをそのまま一般ユーザーに提供するホログラムメモリとしても良いが、これをマスターメディアとし、密着コピーにより大量のホログラムメモリの複製に用いてもよい。
例えばコンピュータデータやＡＶコンテンツデータなどをホログラム記録媒体に記録し、これを広く頒布するとともに、一般ユーザーが再生装置（ホログラムリーダ２０）を用いて、ホログラムメモリ３に記録されたデータを取得できるようにするシステムなどを想定した場合、図１（ａ）のようにしてホログラムマスターメディアを生成し、そのマスターメディアから複製されたホログラムメモリを頒布して、ユーザーサイドで図１（ｂ）の動作でデータを読み出すようにすることが好適である。
【００２６】
［２．ホログラムリーダの構成］
実施の形態の再生装置としてのホログラムリーダ２０について説明する。図７はホログラムリーダ２０のブロック図である。
図７においてシステムコントローラ２１は、例えばマイクロコンピュータにより形成され、ホログラムメモリ３からのデータ読取のための動作を実行するために各部を制御する。
またシステムコントローラ２１は操作部３３の操作情報を監視し、ユーザーの操作に応じて必要な制御を行う。またシステムコントローラ２１は、表示部３４を制御してユーザーに提示する各種の情報の表示を実行させる。
【００２７】
ホログラムメモリ３からのデータ読取のために、読取ユニット１０を備える。読取ユニット１０の構成例は、後に各種の例を述べるが、この読取ユニット１０には、少なくとも図１（ｂ）、図６で述べた結像光学系４、撮像素子部５、及び参照光光源７を備える。なお、図７では参照光光源７として、２つの参照光光源７Ａ、７Ｂを示しているが、これは、ホログラムメモリ３が図５のように第１面３Ａ、第２面３Ｂとして２つの面に角度多重記録された場合に対応する構成である。ホログラムメモリ３が３面以上に角度多重記録されているものである場合に対応するには、その多重面数に対応する数の参照光光源７が配置される。
【００２８】
図４，図５，図６で説明した例に沿って言えば、参照光光源７Ａは、ホログラムメモリ３に対して角度θAで再生参照光Ｌ４Ａを照射するように配置されている。また参照光光源７Ｂは、ホログラムメモリ３に対して角度θBで再生参照光Ｌ４Ｂを照射するように配置されている。
参照光光源７Ａ、７Ｂは例えば半導体レーザ等の点光源により形成される。参照光光源７Ａ，７Ｂは、発光駆動回路３０によって発光される。発光駆動回路３０は、当該ホログラムリーダ２０によってホログラムメモリ３の再生を行う場合に、システムコントローラ２１の指示によって参照光光源７Ａ、７Ｂをそれぞれ発光駆動する。発光駆動回路３０によって参照光光源７Ａがオンとされることで、ホログラムメモリ３に対して角度θAの再生参照光Ｌ４Ａが出射され、また参照光光源７Ｂがオンとされることで、角度θBの再生参照光Ｌ４Ｂが出射される。
【００２９】
結像光学系４はホログラムメモリ３からの再生像光Ｌ５を撮像素子部５に導く。撮像素子部５は、例えばＣＣＤ（Charge Coupled Device）、ＣＭＯＳ（Complementary Metal-Oxide Semiconductor）等の固体撮像素子によるイメージセンサによって構成され、結像光学系４を介して入射した再生像光Ｌ５を受光し、電気信号としての撮像信号を出力する。
【００３０】
ホログラムスキャン制御部２２は、撮像素子部５の動作を制御すると共に、撮像素子部５によって得られる撮像信号の処理を行う。
即ちホログラムスキャン制御部２２は、撮像素子部５に対して転送タイミング信号、転送アドレス信号等を供給して、いわゆる撮像動作により固体撮像素子アレイで得られる撮像信号を順次転送出力させる。そして撮像素子部５から転送されたきた撮像信号について、サンプリング処理、ＡＧＣ処理、Ａ／Ｄ変換処理等を施して出力する。
【００３１】
ホログラムスキャン制御部２２から出力されるデジタルデータ化された撮像信号（二次元画像）は、メモリコントローラ２３の制御によってＤＲＡＭ（Dynamic Random Access Memory）２４に蓄積される。
メモリコントローラ２３は、ＤＲＡＭ２４、フラッシュメモリ２５に格納するデータについての各部の転送制御や、書込／読出制御を行う。
ＤＲＡＭ２４に蓄積された二次元画像に関する信号処理系として、ホログラム画像処理部２７，信号処理部２８が設けられる。
またホログラム画像処理部２７や信号処理部２８と、処理結果や処理に必要な情報についてのシステムコントローラ２１とのやりとりを行うためにＳＲＡＭ（Static Random Access Memory）２９が用いられる。
また、フラッシュメモリ２５には、例えば上記各部での信号処理に必要な設定値、係数、その他の各種制御パラメータ等が記憶される。信号処理部２８で二次元画像信号から復号された復号データをフラッシュメモリ２５に記憶するようにしてもよい。
【００３２】
ホログラム画像処理部２７は、二次元画像について、光学的な原因によるデータ値の変動である光学歪み補正に関する処理や、明るさ調整、画像位置ズレ補正、画像回転ズレ等の幾何歪み補正に関する処理を行う。また撮像素子部５によっては階調のある撮像データとして再生像信号が得られるが、これを白黒の二値に変換する二値化処理も行う。ホログラムメモリ３から読み取るべきデータは、元々の記録データを明暗（白黒）の二値のデータとして二次元ページデータ化されたものであるからである。
【００３３】
信号処理部２８は、二次元の画像パターンとして二値化された再生像信号、つまり１つの要素ホログラムから得られたデータについて、デコード処理やエラー訂正処理、デインターリーブなどを行い、元のデータを得る。即ち、１枚の二次元画像としての撮像信号から、元々の記録データ（コンテンツデータ等）を構成する１つのデータブロックとしてのデータを復号する。
信号処理部２８は、デコードした１つのデータブロックのデータを、メモリコントローラ２３に受け渡す。メモリコントローラ２３は、デコードしたデータをＤＲＡＭ２４もしくはフラッシュメモリ２５に格納させる。
信号処理部２８でデコードされたデータがＤＲＡＭ２４又はフラッシュメモリ２５に格納されていくが、ホログラムメモリ３に対するスキャンが進むことで、例えば図５のように配列された要素ホログラムのそれぞれから読み出されたデータが順次ＤＲＡＭ２４又はフラッシュメモリ２５に格納された状態となる。メモリコントローラ２３は、格納された各データを所定のアドレス順に並べて再構築し、記録された元のデータ、例えばコンピュータデータやＡＶコンテンツデータを生成する。
【００３４】
再構築されて生成されたデータは、外部インターフェース２６を介して外部機器１００、例えばパーソナルコンピュータや、オーディオプレーヤ或いはビデオプレーヤ等のＡＶ装置、又は携帯電話器等の外部機器に対して、ホログラムメモリ３からの再生データとして転送される。外部インターフェース２６は例えばＵＳＢインターフェース等が想定される。もちろん外部インターフェース２６はＵＳＢ以外の規格のインターフェースでもよい。ユーザーは外部機器側で、ホログラムメモリ３からの再生データを利用できる。例えばパーソナルコンピュータでコンピュータデータを利用したり、ＡＶ装置や携帯電話等で、ＡＶコンテンツデータを再生させることができる。
【００３５】
なお図示していないが、所定の記録メディアに対して記録を行うメディアドライブを設け、再生データを、そのメディアドライブにより記録メディアに記録されるようにしてもよい。
記録メディアとしては、例えば光ディスク、光磁気ディスク等が想定される。例えばＣＤ（Compact Disc）方式、ＤＶＤ（Digital Versatile Disc）方式、ブルーレイディスク（Blu-Ray Disc（商標））方式、ミニディスク（Mini Disc）方式などの各種方式の記録可能型のディスクが記録メディアとして考えられる。これらのディスクが記録メディアとされる場合、メディアドライブは、ディスク種別に対応したエンコード処理、エラー訂正コード処理、或いは圧縮処理等を施して、データをディスクに記録する。
また記録メディアとしてハードディスクも想定され、その場合、メディアドライブは、いわゆるＨＤＤ（ハードディスクドライブ）として構成される。
さらに記録メディアは、固体メモリを内蔵した可搬性のメモリカード、或いは内蔵型固体メモリとしても実現でき、その場合メディアドライブは、メモリカード或いは内蔵型固体メモリに対する記録装置部として構成され、必要な信号処理を行ってデータ記録を行う。
【００３６】
さらには、例えば記録メディアに記録したＡＶコンテンツデータ等をメディアドライブで再生し、その再生したＡＶコンテンツデータ等をデコードして出力する音声再生出力系、映像再生出力系を備えることは当然考えられる。
またメディアドライブで再生したデータを外部インターフェース２６を介して外部機器に転送することもできる。
さらに上記のＣＤ、ＤＶＤ、ブルーレイディスク、ミニディスク、メモリカード等の可搬性の記録メディアに記録した場合は、その記録メディアを外部機器で再生させることで、ユーザーはホログラムメモリ３から読み出した再生データを利用できる。
【００３７】
［３．読取ユニットの各種構成例］
このようなホログラムリーダ２０に搭載される読取ユニット１０の構成例について、図８以降で各種の例を説明していく。各例は、特に角度多重記録されたホログラムメモリ３に対する読取ユニットとして好適なものである。
本例の読取ユニット１０は、次のような各効果の一部又は全部を得ることを目的として、後述する各構成を採るものである。
・参照光光源の角度可変機構を持たない簡易な構成で、角度多重記録に対応する各角度での再生参照光の照射を可能とすること。
・再生参照光の角度切換を高速に実行できるようにし、角度多重記録されたデータの読取時間を迅速化すること。
・読取ユニット１０の構成を簡素化し、省スペース化、小型化、低コスト化を促進すること。
・再生像光Ｌ５を効率よく撮像素子部に結像させ、二次元画像を輝度状態のよい撮像信号として得るようにすること。
・撮像素子部を有するイメージャユニットの構造により、更なる構成の簡略化及び低コスト化を図ること。
【００３８】
まず図８で読取ユニット１０の第１の構成例を説明する。
なお、この図８（及び後述する図９〜図１７）では、参照光光源からの再生参照光Ｌ４の光路を実線で示し、再生参照光が照射された要素ホログラムｈからの再生像光Ｌ５の光路を点線で示すものとする。またホログラムメモリ３上では、角度多重記録された要素ホログラムｈ（図８の場合は図５のように２重記録された要素ホログラムｈＡ、ｈＢ）を模式的に示している。
【００３９】
図８の読取ユニット１０は、参照光光源７Ａ、７Ｂ、照射光学系１２Ａ、１２Ｂ、結像光学系４、撮像素子部５を有する。結像光学系４は２群２枚構成のレンズで形成されている。また撮像素子部５は、結像光学系４の結像面に受光面５Ａが位置するように配置されている。撮像素子部５は、受光面５ａで受光した画像を電気信号に変換する。この撮像素子部５はパッケージ１１内に封入されており、その前面がカバーガラス１１ａで覆われている。
例えばレーザダイオード等による参照光光源７Ａがオンとされると、再生参照光Ｌ４Ａは、照射光学系１２Ａにより平行光束とされて第１の角度でホログラムメモリ３に照射される。また参照光光源７Ｂがオンとされると、再生参照光Ｌ４Ｂが、照射光学系１２Ｂにより平行光束とされて第２の角度でホログラムメモリ３に照射される。
このような読取ユニット１０によれば、参照光光源７Ａ、７Ｂをオン／オフすることで第１，第２の角度の再生参照光Ｌ４Ａ、Ｌ４Ｂを照射することができ、参照光光源の角度可変機構を持たない簡易な構成とできるとともに、再生参照光の角度切換を高速に実行できる。
【００４０】
次に読取ユニット１０の第２の構成例を図９〜図１３に示す。
図９に示すように、ホログラムメモリ３は要素ホログラムｈＡ、ｈＢ、ｈＣが、それぞれ角度θA、θB、θCの角度の記録参照光を用いて角度多重記録された場合の例としている。
読取ユニット１０は２群２枚構成の結像光学系４と、結像光学系４の結像面に受光面５ａが位置するように配置された撮像素子部５と、参照光光源７Ａ、７Ｂ、７Ｃとしての３つのレーザ光源を備えたレーザチップアレイ１４を備える。また結像光学系４と撮像素子部５との間に配置されたビームスプリッタ１３を備える。撮像素子部５は、受光面５ａで受光した画像を電気信号に変換する。この撮像素子部５はパッケージ１１内に封入されており、その前面がカバーガラス１１ａで覆われている。
【００４１】
図１０に、レーザチップアレイ１４において参照光光源７Ａがオンとされた場合の再生参照光Ｌ４Ａの光路を示している。
参照光光源７Ａが駆動されると、そこから放射された光束はビームスプリッタ５で反射された後、結像光学系４を結像面側から物体側へと透過し、平行な光束から成る再生参照光Ｌ４Ａとしてホログラムメモリ３上に形成された要素ホログラムｈに照射される。この場合、再生参照光Ｌ４Ａは角度θAで照射されるようにレーザチップアレイ１４が配置されており、従って、再生参照光Ｌ４Ａが照射されることによって要素ホログラムｈＡの再生像光が発生する。この要素ホログラムｈＡの再生像光は、図９に点線の光路とて示したように、結像光学系４によって撮像素子部５の受光面５ａ上に結像し、撮像素子部５によって電気信号に変換される。
【００４２】
また図１１に示すように、参照光光源７Ｂが駆動されると、そこから放射された光束は同様にビームスプリッタ５で反射された後、結像光学系４を結像面側から物体側へと透過し、平行な光束から成る再生参照光Ｌ４Ｂとしてホログラムメモリ３に照射される。この場合、再生参照光Ｌ４Ｂは角度θBで照射されることになり、要素ホログラムｈＢの再生像光が発生し、これが結像光学系４によって撮像素子部５の受光面５ａ上に結像され、撮像素子部５によって電気信号に変換される。
さらに図１２に示すように、参照光光源７Ｃが駆動されると、そこから放射された光束は同様にビームスプリッタ５で反射された後、結像光学系４を結像面側から物体側へと透過し、平行な光束から成る再生参照光Ｌ４Ｃとしてホログラムメモリ３に照射される。この場合、再生参照光Ｌ４Ｃは角度θCで照射されることになり、要素ホログラムｈＣの再生像光が発生し、これが結像光学系４によって撮像素子部５の受光面５ａ上に結像され、撮像素子部５によって電気信号に変換される。
【００４３】
フーリエ変換ホログラム記録によって生成されたホログラムを再生するための結像光学系４は、無限遠方に存在する2次元ページデータ像を撮像素子部５に結像する光学系と等価となる。そのため、結像光学系４の結像面である受光面５ａ上あるいはその共役面上にレーザ光源などの点光源を配置することにより、その光源から放射された光束を、結像光学系を逆に辿ることによって、ホログラムメモリ３上で平行光束となすことができる。
図９〜図１２に示した参照光光源７Ａ、７Ｂ、７Ｃの位置は、結像光学系４の結像面、即ち受光面５ａと共役な位置となっている。光路をビームスプリッタ１３での反射面で折り返して考えると、図１０，図１１，図１２に示した再生参照光Ｌ４Ａ、Ｌ４Ｂ、Ｌ４Ｃの各光路は図１３（ａ）（ｂ）（ｃ）のようになる。つまり、レーザチップアレイ１４における参照光光源７Ａ、７Ｂ、７Ｃは、受光面５ａと同一面上に配置されていると考えることができる。
そしてこの図１３からわかるように、結像面上あるいはその共役面上の点光源位置によってホログラムに照射される平行光束角度が変わる。従って、図１２のように結像面の共役面上に複数の点光源（レーザダイオード）を配置し、交互にオン／オフさせることにより再生参照光の角度を高速に切り替え可能となる。さらには、結像光学系４を再生参照光の照射光学系として共用することになるため、省スペース、低コストの読取ユニット１０として、角度多重記録に対する読み出し光学系を実現できる。
【００４４】
なお、角度多重記録の際に、各記録参照光について角度を変えるのみでなく、波長も異なるようにすることが考えられる。
即ち、ホログラムメモリ３の角度多重記録の際に、角度θAで波長λAの記録参照光を用いて要素ホログラムｈＡを記録し、角度θBで波長λBの記録参照光を用いて要素ホログラムｈＢを記録し、角度θCで波長λCの記録参照光を用いて要素ホログラムｈＣを記録するようにする。
そのようなホログラムメモリ３に対しては、図９の構成におけるレーザチップアレイ１４の参照光光源７Ａ、７Ｂ、７Ｃを、それぞれ異なる波長λA、λB、λCのレーザ光源とする。
照射角度だけでなく、波長も異なるものとすることで、再生時に要素ホログラムｈＡ、ｈＢ、ｈＣの読出時に、互いのクロストーク成分が非常に低減されるものとなり、高精度のデータ読出に有利となる。
【００４５】
図１４に読取ユニット１０の第３の構成例を示す。
なお、この図１４（ａ）に示す構成は、上記図９とほぼ同様であるが、図１４（ｂ）に矢印Ｘ方向にみたレーザチップアレイ１４を示すように、レーザチップアレイ１４は９個のレーザ光源として参照光光源７Ａ〜７Ｉが形成されている。
このレーザチップアレイ１４の参照光光源７Ａ〜７Ｉが二次元に配列されている面は上記図９の例の場合と同じく、結像光学系４の結像面の共役面となる。
従って、二次元平面上で９個のレーザ光源が配置されるということは、角度θA、θB、θC・・・θIという９種類の角度の再生参照光を照射できることを意味する。
つまりホログラムメモリ３が、第１面〜第９面として要素ホログラムｈＡ〜ｈＩが角度多重記録されたものである場合に対応する読取ユニット１０を、図９の例と同様に構成できる。
【００４６】
レーザチップアレイ１４に９個の参照光光源７Ａ〜７Ｉを有するようにする例は、説明上の一例にすぎないが、レーザチップアレイ１４において、図９のように結像面の共役面に１次元に複数のレーザ光源を配置したり、或いは図１４のように二次元にレーザ光源を配置することで、複数の異なる角度の参照光光源を形成できるものである。
なお、角度多重記録時に波長も異なる記録参照光が使用された場合は、図１４のような二次元配置のレーザ光源の場合も、それぞれ波長の異なる光源とすることになる。
【００４７】
続いて図１５で読取ユニット１０の第４の構成例を説明する。
読取ユニット１０は、上記各構成例を同様に２群２枚構成の結像光学系４と、結像光学系４の結像面に受光面５ａが位置するように配置された撮像素子部５を備える。また参照光光源７Ａ，７Ｂを備えるとともに、結像光学系４と撮像素子部５との間にガラス等の透明基体１４が配置され、その一部に反射部１５Ａ、１５Ｂが形成される。
反射部１５Ａ、１５Ｂは透明基体１４の背面に蒸着等の手段によって形成された反射膜として形成されている。そして、この反射部１５Ａ、１５Ｂは、ともに結像光学系４の有効領域のうち、撮像素子部５の有効領域に導かれる光束を遮らない領域に形成されている。
【００４８】
この読取ユニット１０において、参照光光源７Ａが駆動されると、そこから放射された光束は反射部１５Ａで反射された後、結像光学系４を結像面側から物体側へと透過し、平行な光束から成る再生参照光Ｌ４Ａとしてホログラムメモリ３に照射される。この場合、再生参照光Ｌ４Ａが角度θAで照射されるように参照光光源７Ａが配置されており、従って、再生参照光Ｌ４Ａが照射されることによって要素ホログラムｈＡの再生像光が発生する。この要素ホログラムｈＡの再生像光は、結像光学系４によって撮像素子部５の受光面５ａ上に結像し、撮像素子部５によって電気信号に変換される。
また参照光光源７Ｂが駆動されると、そこから放射された光束は反射部１５Ｂで反射された後、結像光学系４を結像面側から物体側へと透過し、平行な光束から成る再生参照光Ｌ４Ｂとしてホログラムメモリ３に照射される。この場合、再生参照光Ｌ４Ｂが角度θBで照射されるように参照光光源７Ｂが配置されており、従って、再生参照光Ｌ４Ｂが照射されることによって要素ホログラムｈＢの再生像光が発生する。この要素ホログラムｈＢの再生像光は、結像光学系４によって撮像素子部５の受光面５ａ上に結像し、撮像素子部５によって電気信号に変換される。
【００４９】
この場合、光路を反射部１５Ａ、１５Ｂで折り返して考えると、再生参照光Ｌ４Ａ、Ｌ４Ｂの各光路は図１６（ａ）（ｂ）のようになる。つまり、参照光光源７Ａ、７Ｂは、受光面５ａと同一面上に配置されていると考えることができる。
即ちこの図１５の読取ユニット１０にあっても、参照光光源７Ａ，７Ｂから放射した光束を一旦反射部１５Ａ、１５Ｂによって反射させてから結像光学系４に像面側から入射させることによって、参照光光源７Ａ、７Ｂの位置を結像光学系４の結像面である受光面５ａと共役な位置とすることができ、結像光学系４を再生参照光の照射光学系として共用することで構成の簡易化による省スペース効果とコストダウン効果を得ることができる。
さらに、この図１５の構成例の場合、要素ホログラムの再生像光Ｌ５をロス無く効率よく撮像素子部５に導くことができる。
図９、図１４のようにビームスプリッタ１３を介在させると、撮像素子部５への入射光量が低下してしまうが、図１５ではそのような事がないためである。このため、撮像素子部５での輝度状態の良い二次元画像を得やすく、データの復号処理に有利となる。
【００５０】
なお、反射部１５Ａ、１５Ｂに代えて回折部を同様の位置に配置しても同様の効果を奏することができる。例えばホログラム素子として回折部を設ける。回折部として反射角度（回折角度）を調整設定することで、共役面とすべき参照光光源７Ａ、７Ｂの配置の自由度を上げることができる。
【００５１】
図１７により、読取ユニット１０の第５の構成例を説明する。
この場合の読取ユニット１０は、２群２枚構成の結像光学系４と、結像光学系４の結像面に受光面５ａが位置するように配置された撮像素子部５を備えることは、上記各例と同様である。
そしてこの場合、参照光光源７Ａ、７Ｂと、参照光光源７Ａ，７Ｂから放射された光束を反射する反射部（プリズム）１６Ａ、１６Ｂを備える。
撮像素子部５、参照光光源７Ａ、７Ｂ、及び反射部１６Ａ、１６Ｂは単一のパッケージ１１内に封入されて構成される。パッケージ１１の凹部１１ｂ内に単一の基板１９が配置される。そして基板１９上に例えば、光電変換部や電荷転送部を備えたＣＣＤ等の撮像素子部５が形成され、かつ、基板１９の撮像素子部５の形成領域外に半導体レーザからなる参照光光源７Ａ、７Ｂと、プリズムによる反射部１６Ａ、１６Ｂが設けられる。そして凹部１１ｂの前面がカバーガラス１１ａで覆われる。
このようなパッケージ１１により、１つのイメージャユニット１７が形成される。
【００５２】
この読取ユニット１０では、参照光光源７Ａが駆動されると、そこから放射された光束は反射部１６Ａで反射されカバーガラス１１ａを透過した後、結像光学系４を結像面側から物体側へと透過し、平行な光束から成る再生参照光Ｌ４Ａとしてホログラムメモリ３に照射される。この再生参照光Ｌ４Ａは角度θAで照射されることになり、従って、要素ホログラムｈＡの再生像光が発生する。この要素ホログラムｈＡの再生像光は、結像光学系４によって撮像素子部５の受光面５ａ上に結像し、撮像素子部５によって電気信号に変換される。
また参照光光源７Ｂが駆動されると、そこから放射された光束は反射部１６Ｂで反射されカバーガラス１１ａを透過した後、結像光学系４を結像面側から物体側へと透過し、平行な光束から成る再生参照光Ｌ４Ｂとしてホログラムメモリ３に照射される。この再生参照光Ｌ４Ｂは角度θBで照射されることになり、従って、要素ホログラムｈＢの再生像光が発生する。この要素ホログラムｈＢの再生像光は、結像光学系４によって撮像素子部５の受光面５ａ上に結像し、撮像素子部５によって電気信号に変換される。
【００５３】
この図１７の読取ユニット１０にあっても、参照光光源７Ａ、７Ｂから放射した光束を一旦反射部１６Ａ、１６Ｂによって反射させてから結像光学系４に像面側から入射させることによって、参照光光源７Ａ、７Ｂの位置を結像光学系４の結像面と共役な位置とすることができる。従って、結像光学系４を再生参照光の照射光学系として共用することができ、読取ユニット１０の構成の簡易化による省スペース効果とコストダウン効果を得ることができる。また、上記図１５の場合と同様、ビームスプリッタ１３を用いないため、撮像素子部５で良好な輝度レベルの撮像信号を得やすいという点で有利である。
更にこの場合、撮像素子部５、参照光光源７Ａ、７Ｂ、反射部（プリズム）１６Ａ、１６Ｂが同一のパッケージ１１内に配置されて、単一の部品のイメージャユニット１７として扱えるので、さらなる省スペース化が可能になる。また、読取ユニット１０の製造時には、結像光学系４とイメージャユニット１７との間の位置関係を正確に位置決めすればよく、撮像素子部５、参照光光源７Ａ、７Ｂ、反射部１６Ａ、１６Ｂの間相互の位置関係を調整する必要はない。従って組付が容易になり、これもコストダウンに寄与する。
【００５４】
以上、読取ユニット１０の構成例を説明してきたが、これらの読取ユニット１０は、図７のようなホログラムリーダ２０に搭載することに好適となる。
また、このような読取ユニット１０は、ホログラムリーダ２０に限らず、携帯電話機、ＰＤＡ（Personal Digital Assistant）その他の情報処理機器に搭載し、ホログラム読取機能をそれらの機器に備えるようにすることもできる。
なお、上記した実施の形態において示した各部の具体的形状及び構造は、いずれも本発明を実施するための一例にすぎず、多様な変形例が想定されることは言うまでもない。
【図面の簡単な説明】
【００５５】
【図１】本発明の実施の形態のホログラムメモリの記録再生の説明図である。
【図２】実施の形態のホログラムメモリの要素ホログラムの説明図である。
【図３】実施の形態の要素ホログラムの二次元画像の説明図である。
【図４】実施の形態のホログラムメモリの角度多重記録の説明図である。
【図５】実施の形態の角度多重記録のホログラムメモリの記録面の説明図である。
【図６】実施の形態の角度多重記録ホログラムメモリの再生動作の説明図である。
【図７】実施の形態のホログラムリーダのブロック図である。
【図８】実施の形態の読取ユニットの第１の構成例の説明図である。
【図９】実施の形態の読取ユニットの第２の構成例の説明図である。
【図１０】実施の形態の読取ユニットの第２の構成例の参照光光路の説明図である。
【図１１】実施の形態の読取ユニットの第２の構成例の参照光光路の説明図である。
【図１２】実施の形態の読取ユニットの第２の構成例の参照光光路の説明図である。
【図１３】実施の形態の読取ユニットの第２の構成例の共役面の説明図である。
【図１４】実施の形態の読取ユニットの第３の構成例の説明図である。
【図１５】実施の形態の読取ユニットの第４の構成例の説明図である。
【図１６】実施の形態の読取ユニットの第４の構成例の共役面の説明図である。
【図１７】実施の形態の読取ユニットの第５の構成例の説明図である。
【符号の説明】
【００５６】
３  ホログラムメモリ、４  結像光学系、５  撮像素子部、７Ａ、７Ｂ、７Ｃ  参照光光源、１０  読取ユニット、１１  パッケージ、１３  ビームスプリッタ、１４  レーザチップアレイ、１５  透明基体、１５Ａ，１５Ｂ  反射部、１６Ａ，１６Ｂ  反射部、１７  イメージャユニット、２０  ホログラムリーダ、２１  システムコントローラ、２２  ホログラムスキャン制御部、２３  メモリコントローラ、２４  ＤＲＡＭ、２７  ホログラム画像処理部、２８  信号処理部、３０  発光駆動回路、３４  表示部
【図１】
2007108385.tif 000003
【図２】
2007108385.tif 000004
【図３】
2007108385.tif 000005
【図４】
2007108385.tif 000006
【図５】
2007108385.tif 000007
【図６】
2007108385.tif 000008
【図７】
2007108385.tif 000009
【図８】
2007108385.tif 000010
【図９】
2007108385.tif 000011
【図１０】
2007108385.tif 000012
【図１１】
2007108385.tif 000013
【図１２】
2007108385.tif 000014
【図１３】
2007108385.tif 000015
【図１４】
2007108385.tif 000016
【図１５】
2007108385.tif 000017
【図１６】
2007108385.tif 000018
【図１７】
2007108385.tif 000019